(57)【要約】【課題】より耐荷重性の低い屋根に適用可能であり、より安定的に架台を支持できる太陽電池モジュール用の架台を提供する。【解決手段】太陽電池モジュール用の架台は、太陽電池モジュールを支持する支持部材１００と、支持部材１００を設置面５００に接着する接着材２２０と、支持部材１００を設置面５００の方に押さえる重し２００と、を有する。【選択図】図３
2020076217.tif 000002
【特許請求の範囲】
【請求項１】
太陽電池モジュールを支持する支持部材と、
前記支持部材を設置面に接着する接着材と、
前記支持部材を前記設置面の方に押さえる重しと、を有する、太陽電池モジュール用の架台。
【請求項２】
前記接着材の少なくとも一部は、前記設置面に直交する方向において前記重しと重なる位置に設けられる、請求項１に記載の太陽電池モジュール用の架台。
【請求項３】
前記支持部材は、前記重しを搭載する重し搭載部を有し、
少なくとも前記重しの重心は、前記設置面に直交する方向において前記重し搭載部と重なる、請求項１又は２に記載の太陽電池モジュール用の架台。
【請求項４】
前記支持部材は、前記接着材によって接着される土台部と、前記重しを搭載する重し搭載部と、を有し、
前記土台部の接着面に直交する方向から見て、前記重しの少なくとも７０％の領域が、前記重し搭載部に搭載される、請求項１から３のいずれか１項に記載の太陽電池モジュール用の架台。
【請求項５】
前記支持部材は、前記接着材によって接着される土台部と、前記重しを搭載する重し搭載部と、前記太陽電池モジュールを支持するモジュール支持部と、を有し、
前記重し搭載部の少なくとも一部は、前記土台部の接着面に直交する方向から見て、前記モジュール支持部と重なる位置に設けられる、請求項１から４のいずれか１項に記載の太陽電池モジュール用の架台。
【請求項６】
前記支持部材は、互いに隣接する太陽電池モジュールの互いに対向する両縁辺を支持可能に構成されており、
前記重しは、前記土台部の接着面に直交する方向から見て少なくとも一方の前記太陽電池モジュールに隠れる位置に設けられる、請求項１から５のいずれか１項に記載の太陽電池モジュール用の架台。
【請求項７】
前記支持部材は、前記重しを搭載する重し搭載部を有し、
前記重し搭載部は、前記重し搭載部に沿った前記重しのスライドを規制する突出部を有する、請求項１から６のいずれか１項に記載の太陽電池モジュール用の架台。
【請求項８】
前記支持部材は、前記接着材によって接着される土台部と、前記重しを搭載する重し搭載部と、を有し、
前記重し搭載部は、前記土台部を構成する部材に直接又は間接的に着脱可能に構成されている、請求項１から７のいずれか１項に記載の太陽電池モジュール用の架台。
【請求項９】
前記支持部材は、前記接着材によって接着される土台部と、前記重しを搭載する重し搭載部と、前記太陽電池モジュールを支持するモジュール支持部と、を有し、
前記土台部は、前記重し搭載部及び前記モジュール支持部とは別部材によって構成される、請求項１から８のいずれか１項に記載の太陽電池モジュール用の架台。
【請求項１０】
前記支持部材は、前記重しを搭載する重し搭載部と、前記接着材によって接着される土台部と、前記太陽電池モジュールを支持するモジュール支持部と、前記モジュール支持部から前記土台部の方へ延びる立設部と、を有し、
前記立設部は重しが通過可能な貫通穴を有し、前記重し搭載部は前記立設部の前記貫通穴を跨いで設けられる、請求項１から９のいずれか１項に記載の太陽電池モジュール用の架台。
【請求項１１】
前記支持部材は、前記太陽電池モジュールの一側辺に沿って延びており、
前記太陽電池モジュールの一側辺に沿った方向における前記支持部材の長さは、前記太陽電池モジュールの前記一側辺の長さと概ね等しい、又は前記一側辺の長さ以上である、請求項１から１０のいずれか１項に記載の太陽電池モジュール用の架台。
【発明の詳細な説明】
【技術分野】
【０００１】
本発明は、太陽電池モジュール用の架台に関する。
【背景技術】
【０００２】
太陽電池モジュールは、スレート屋根、瓦屋根、陸屋根など、様々な種類の屋根に取り付けられる。太陽電池モジュールが例えば陸屋根に取り付けられる場合、太陽電池モジュールは陸屋根上に設置された架台に取り付けられる。一般に、架台は、陸屋根に立ち上げられた杭によって陸屋根上に固定される。したがって、屋根面への穴あけ、杭の固定、屋根面の養生などの工程が必要であり、そのための施工費用や施工時間を要する。
【０００３】
下記特許文献１は、太陽電池モジュールを支える架台を、コンクリートブロックのような重しによって支持する方法を開示する。この方法では、架台はコンクリートブロックの荷重で支えられるため、架台を固定するための杭を屋根面に立ち上げる必要がないとされている。
【先行技術文献】
【特許文献】
【０００４】
【特許文献１】特開２０１６−１４９９３６号
【発明の概要】
【発明が解決しようとする課題】
【０００５】
特許文献１に記載されたコンクリートブロックを使用する場合、コンクリートブロックのような重しの荷重により屋根への負担が大きくなることがあるため、耐荷重性の高い屋根にしか適用できない。また、屋根面の表面の凹凸が大きい場合、重しと屋根面との接触面積が小さくなるため、予め想定していた荷重を架台に与えることができず、架台が不安定になる可能性がある。
【０００６】
したがって、より耐荷重性の低い屋根に適用可能であり、より安定的に架台を支持できる太陽電池モジュール用の架台が望まれる。
【課題を解決するための手段】
【０００７】
一態様に係る太陽電池モジュール用の架台は、太陽電池モジュールを支持する支持部材と、前記支持部材を設置面に接着する接着材と、前記支持部材を前記設置面の方に押さえる重しと、を有する。
【発明の効果】
【０００８】
上記態様によれば、より耐荷重性の低い屋根に適用可能であり、より安定的に架台を支持できる太陽電池モジュール用の架台が提供される。
【図面の簡単な説明】
【０００９】
【図１】第１実施形態に係る太陽電池モジュール組立構造の模式的斜視図である。
【図２】太陽電池モジュールが取り外された状態の太陽電池モジュール組立構造を示す模式的斜視図である。
【図３】図１の３Ａ−３Ａ線に沿った太陽電池モジュール組立構造の断面図である。
【図４】図１の４Ａ−４Ａ線に沿った太陽電池モジュール組立構造の断面図である。
【図５】第２実施形態に係る太陽電池モジュール組立構造の断面図である。
【図６】第３実施形態に係る太陽電池モジュール組立構造の断面図である。
【図７】第４実施形態に係る太陽電池モジュール組立構造の断面図である。
【図８】第５実施形態に係る太陽電池モジュール組立構造の模式的斜視図である。
【図９】図８の９Ａ−９Ａ線に沿った太陽電池モジュール組立構造の断面図である。
【発明を実施するための形態】
【００１０】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１１】
（第１実施形態）
図１は、第１実施形態に係る太陽電池モジュール組立構造の模式的斜視図である。図２は、太陽電池モジュールが取り外された状態の太陽電池モジュール組立構造を示す模式的斜視図である。すなわち、図２は、太陽電池モジュール用の架台を示している。図３は、図１の３Ａ−３Ａ線に沿った太陽電池モジュール組立構造の断面図である。図４は、図１の４Ａ−４Ａ線に沿った太陽電池モジュール組立構造の断面図である。
【００１２】
太陽電池モジュール１０は、水平面から傾斜した設置面５００に設置されてもよいし、水平面に実質的に平行な設置面５００に設置されてもよい。そのような設置面５００として、例えば、スレート屋根、瓦屋根、陸屋根などが挙げられる。
【００１３】
太陽電池モジュール組立構造は、太陽電池モジュール１０と、太陽電池モジュール１０を支持する架台と、を有する。太陽電池モジュール組立構造は、１つの太陽電池モジュール１０のみを含んでいてもよく、互いに配列された複数の太陽電池モジュール１０を含んでいてもよい。図１では、太陽電池モジュール組立構造は、一例として、４つの太陽電池モジュール１０を含んでいる。なお、図では、説明の都合上、太陽電池モジュール１０に対して架台を大きく描いていることに留意されたい。
【００１４】
太陽電池モジュール１０は、太陽光のエネルギーを電気エネルギーに変換する光電変換パネルと、光電変換パネルの周囲に設けられたフレームと、を含んでいてよい。架台は、太陽電池モジュール１０を支持する支持部材１００と、支持部材１００を設置面５００に接着する接着材２２０と、支持部材１００を設置面５００の方に押さえる重し２００と、を有する。
【００１５】
支持部材１００は、太陽電池モジュール１０の一側辺に沿って長く延びていてよい。支持部材１００の長さは、好ましくは、１つの太陽電池モジュール１０の一側辺とほぼ同等の長さ以上であってよい。より具体的には、支持部材１００の長さは、好ましくは１つの太陽電池モジュール１０の一側辺の長さの９０％以上、より好ましくは太陽電池モジュール１０の一側辺の長さ以上であってよい。また、図１に示すように、１つの支持部材１００が複数の太陽電池モジュール１０を支持する場合、支持部材１００の長さは、２つ又はそれ以上の太陽電池モジュール１０の一側辺の合計の長さと同じ、又はそれよりも長くてもよい。
【００１６】
支持部材１００は、接着材２２０によって接着される土台部１０２と、重し２００を搭載する重し搭載部１１０と、太陽電池モジュール１０を支持するモジュール支持部１１２と、を有していてよい。本実施形態では、土台部１０２、重し搭載部１１０及びモジュール支持部１１２は一体に形成されている。土台部１０２は、支持部材１００の下部に相当する。土台部１０２の下面は、設置面５００に対向し、接着材２２０によって設置面５００に接着される。
【００１７】
支持部材１００の長さ、より具体的には土台部１０２の長さは、１つの太陽電池モジュール１０の一側辺とほぼ同等の長さ以上であってよい。すなわち、土台部１０２の長さは、好ましくは１つの太陽電池モジュール１０の一側辺の長さの９０％以上、より好ましくは太陽電池モジュール１０の一側辺の長さ以上であってよい。この場合、接着材２００を塗布可能な領域を広く確保することができるため、重し２００が比較的軽くても、支持部材１００の安定性を維持することができる。さらに、土台部１０２の長さが長くなることで、設置面５００の一部に局所的に負荷が集中することを抑制することができる。
【００１８】
接着材２２０は、例えばシリコーン系の接着材、アクリル系の接着材、又はウレタン系の接着材などであってよい。接着材２２０は、好ましくは弾性接着材であってよい。
【００１９】
モジュール支持部１１２は、支持部材１００の上部１０６のうち、太陽電池モジュール１０と当接する部分である。支持部材１００の上部１０６の長さは、１つの太陽電池モジュール１０の一側辺とほぼ同等の長さ以上であってよい。すなわち、上部１０６の長さは、好ましくは１つの太陽電池モジュール１０の一側辺の長さの９０％以上、より好ましくは太陽電池モジュール１０の一側辺の長さ以上であってよい。この場合、太陽電池モジュール１０と当接するモジュール支持部１１２を広く確保することができるため、支持部材１００から太陽電池モジュール１０に局所的に高い負荷がかかることを抑制することができる。
【００２０】
太陽電池モジュール１０を支持部材１００に固定する方法は、特に限定されない。本実施形態では、一例として、太陽電池モジュール１０は、クランプ１２０によって支持部材１００に固定される。クランプ１２０の一部１２２は、太陽電池モジュール１０の側縁の上面、例えば不図示のフレームの上面を覆っている。クランプ１２０の別の一部１２４は、支持部材１００の上部１０６に当接している。クランプ１２０は、支持部材１００の上部１０６と当接した部分において、例えばボルトのような締結部材１４０によって支持部材１００に締結されている。これにより、太陽電池モジュール１０の側縁は、クランプ１２０の一部１２２と支持部材１００の上部１０６との間に挟まれて固定される。
【００２１】
太陽電池モジュール組立構造が互いに隣接する複数の太陽電池モジュール１０を含む場合、支持部材１００は、互いに隣接する太陽電池モジュール１０の両側縁を支持可能に構成されていてよい（図４参照）。この場合、互いに隣接する太陽電池モジュール１０は、別のクランプ１３０によって支持部材１００に固定されてよい。クランプ１３０は、図４に示す断面において、支持部材１００の上部１０６に当接する凹部１３４と、凹部を挟んで両側で太陽電池モジュール１０の側縁の上面を覆う被覆部１３２と、を有していてよい。クランプ１３０は、凹部１３４において、例えばボルトのような締結部材１４０によって支持部材１００に締結されている。これにより、両方の太陽電池モジュール１０の側縁が、クランプ１３０と支持部材１００の上部１０６との間に挟まれて固定される。
【００２２】
クランプ１２０及び／又はクランプ１３０の長さは、１つの太陽電池モジュール１０の一側辺とほぼ同等の長さ以上であってよい。すなわち、クランプ１２０及び／又はクランプ１３０の長さは、好ましくは１つの太陽電池モジュール１０の一側辺の長さの９０％以上、より好ましくは太陽電池モジュール１０の一側辺の長さ以上であってよい。この場合、太陽電池モジュール１０と当接するクランプ１２０及び／又はクランプ１３０の領域が広くなるため、クランプ１２０及び／又はクランプ１３０から太陽電池モジュール１０に局所的に高い負荷がかかることを抑制することができる。
【００２３】
クランプ１２０，１３０は、支持部材１００の後述する立設部１０４に関して、一方側に偏倚した位置で、締結部材１４０によって支持部材１００の上部１０６に締結されていてよい。図３及び図４に示す態様では、クランプ１２０，１３０を締結する締結部材１４０は、支持部材１００の立設部１０４に関して、重し２００が載せられている側に偏倚した位置に設けられている。この代わりに、締結部材１４０は、支持部材１００の立設部１０４に関して、重し２００が載せられている側とは反対側に偏倚した位置に設けられていてもよい。
【００２４】
本実施形態では、重し搭載部１１０は、土台部１０２の上面のうち、重し２００と当接する部分によって規定される。支持部材１００は、土台部１０２から上方、すなわち設置面５００から遠ざかる方向に向かって立設した立設部１０４を有する。モジュール支持部１１２は、立設部１０４の上端から設置面５００に略平行な方向に延びている。したがって、支持部材１００は、太陽電池モジュール１０の一側辺に直交する面に沿った断面において、略「エ」の字形の断面を有していてよい。言い換えると、支持部材１００は、概ね「Ｈ」の字を横向きにした形状を有していてよい（図３，４参照）。
【００２５】
重し２００は、支持部材１００の重し搭載部１１０上に載せられる。これにより、重し２００は、荷重により支持部材１００の土台部１０２を安定的に保持する。重し２００の比重は、支持部材１００の比重よりも大きいことが好ましい。例えば、重し２００は、コンクリートブロックにより構成されていてよい。一方、支持部材１００は、アルミのような比較的比重の小さい部材によって構成されていてよい。
【００２６】
図２に示すように、重し２００は、支持部材１００の同一側に複数設けられていてもよい。具体的には、図３及び図４に示す断面において、重し２００は、立設部１０４の一方側にのみ設けられていてよい。この代わりに、重し２００は、立設部１０４の他方の側に設けられてもよい。
【００２７】
立設部１０４から、重し２００が載せられる側の土台部１０２の一端部までの距離Ｌ４は、立設部１０４から、重し２００が載せられる側とは反対側の土台部１０２の他端部までの距離よりも長いことが好ましい。これにより、重し搭載部１１０の領域を広く確保することができる。特に、重し２００が載せられる側の土台部１０２の一端部までの距離Ｌ４を長く確保すると、風等の負圧により重し２００が載せられていない側の端部が上方に浮き上がることを抑制することができる。この目的のため、重し２００は、立設部１０４に当接して配置されることが好ましい。より好ましくは、重し２００は、設置面５００に直交する方向において、少なくとも支持部材１００の重心と重なる位置に配置される。これにより、支持部材１００は、重心を基点とした回転方向の力に対してより安定的に維持されるため、風等の負圧による支持部材１００の浮き上がりをより抑制することができる。
【００２８】
本実施形態では、支持部材１００は、重し２００と接着材２２０の両方で、設置面５００上に安定的に保持される。重し２００の比重又はサイズが小さくても、接着材２２０の利用により、支持部材１００は、安定的に設置面５００上に固定される。したがって、重し２００の荷重による屋根への負荷を軽減することができ、より耐荷重性の低い屋根に適用可能になる。また、傾斜の大きい屋根であっても、重し２００の荷重だけで支持部材１００を保持するわけではないため、重し２００を重くしなくても安定的に支持部材１００を保持することができる。また、重し２００の比重又はサイズが小さくなれば、太陽電池モジュール１０を設置する作業員の負担も軽減される。
【００２９】
また、重し２００のみで支持部材１００を保持するのではなく、重し２００と接着材２２０を併用することで、より安定的に支持部材１００を設置面５００上に固定できる。特に、接着材２２０は、弾性的な要素を持つため、設置面５００が微小な多数の凹凸を有する場合であっても、支持部材１００を安定的に設置面５００に接着できる。
【００３０】
また、太陽電池モジュール１０に風などによる負圧がかかったときに、太陽電池モジュール１０が浮き上がるような力、すなわち図３及び図４の紙面に直交する軸を中心とした回転方向のモーメントが、太陽電池モジュール１０にかかる。図３及び図４に示すように、重し２００が支持部材１００の一方側に偏って設けられる場合、支持部材１００が重し２００のみで保持されていると、このモーメントに対する安定性が低くなることがある。本実施形態では、支持部材１００が接着材２２０でも設置面５００に固定されているため、このようなモーメントに対しても支持部材１００は安定する。より支持部材１００を安定させるため、土台部１０２に対する接着材２２０の塗布領域は、重し２００が搭載された領域よりも広いことが好ましい。
【００３１】
また、接着材２２０の少なくとも一部は、設置面５００に直交する方向において重し２００と重なる位置に設けられることが好ましい。これにより、重し２００の荷重が、接着材２２０にかかり易くなるため、支持部材１００と設置面５００との間の接着力が安定し易くなる。
【００３２】
支持部材１００の安定性を向上させるため、少なくとも重し２００の重心は、設置面５００に直交する方向において重し搭載部１１０と重なることが好ましい。これにより、重し２００の荷重を効果的に重し搭載部１１０に加えることができる。
【００３３】
より好ましくは、土台部１０２の接着面に直交する方向から見て、重し２００の少なくとも７０％の領域が、重し搭載部１１０に搭載される。すなわち、図３に示す断面において、重し搭載部１１０の幅Ｌ４が、重し２００の幅Ｌ２の少なくとも７０％であることが好ましい。いっそう好ましくは、土台部１０２の接着面に直交する方向から見て、重し２００全体が、重し搭載部１１０に搭載される。すなわち、図３に示す断面において、重し搭載部１１０の幅Ｌ４が、重し２００の幅Ｌ２以上である。これにより、支持部材１００の安定性をより向上させることができる。
【００３４】
重し２００の高さＬ１は、重し搭載部１１０からモジュール搭載部１１２までの高さＬ３の、好ましくは５０％以上、より好ましくは７０％以上、いっそう好ましくは９０％以上であってよい。重し２００の高さＬ１が高いと、重し２００が回転したときに重し２００が支持部材１００の上部１０６に当たるため、重し２００が転がり落ちることを抑制することができる。
【００３５】
図４に示すように、重し搭載部１１０の少なくとも一部は、土台部１０２の接着面に直交する方向から見て、モジュール支持部１１２と重なる位置に設けられることが好ましい。より好ましくは、重し搭載部１１０の全部が、土台部１０２の接着面に直交する方向から見て、モジュール支持部１１２と重なる位置に設けられる。設置面５００に実質的に平行な面において重し２００を設置するために必要なスペースが、太陽電池モジュールを設置するためのスペースと重複するため、太陽電池モジュール組立構造全体の設置スペースが小さくなる。言い換えると、複数の太陽電池モジュール１０をより密に互いに近接して配置させることができる。さらに、意匠性の向上の観点から、重し２００は、土台部１０２の接着面に直交する方向から見て少なくとも一方の太陽電池モジュール１０に隠れる位置に設けられることが好ましい（図４参照）。
【００３６】
図示した実施形態では、太陽電池モジュール１０の一側辺に沿って延びた支持部材１００は、当該一側辺に沿う方向において一体に形成されている。この代わりに、支持部材１００は、太陽電池モジュール１０の一側辺に沿う方向に複数並んだ小部材によって構成されていてよい。この場合、当該小部材の各々は、図３及び図４に示す断面において、支持部材１００と同じ形状を有する。言い換えると、支持部材１００は、太陽電池モジュール１０の一側辺に沿う方向において複数の同形状の小部材に分割されていてよい。この場合、重し２００は、互いに隣接する小部材どうしに跨って配置されることが好ましい。これにより、支持部材１００を構成する小部材の数よりも少ない重し２００を利用して、すべての小部材を重し２００で押さえることができる。なお、１つの支持部材１００が複数の小部材から構成される場合、前述した支持部材１００、土台部１０２及び上部１０６の長さは、複数の小部材を含めた支持部材１００全体に基づき定義されることに留意されたい。
【００３７】
また、前述したように、１つの支持部材１００が、互いに並んだ複数の小部材から構成される場合、互いに隣接する小部材は、互いに間隔を開けずに並べられていてもよく、互いに間隔を開けて並べられていてもよい。いずれの場合であっても、重し２００は、前述したように互いに隣接する小部材に跨るように配置されることが好ましい。
【００３８】
（第２実施形態）
次に、図５を用いて、第２実施形態に係る太陽電池モジュール組立構造について説明する。図５は、第２実施形態に係る太陽電池モジュール組立構造の断面図であり、具体的には図１の３Ａ−３Ａ線に相当する位置での断面図である。なお、以下では、第１実施形態と異なる構成について詳細に説明する。第１実施形態と同様の構成については、その説明を省略することに留意されたい。
【００３９】
第２実施形態における支持部材１００の形状が、第１実施形態と異なっている。第２実施形態では、重し搭載部１１０は、重し搭載部１１０に沿った重し２００のスライドを規制する突出部１０３を有する。突出部１０３は、土台部１０２から上方、すなわち設置面５００から離れる方向に突出している。突出部１０３は、重し２００がスライドしたとしても、重し２００の下側部に当接することにより、重し２００の滑り落ちを防止する。
【００４０】
第２実施形態では、太陽電池モジュール１０の縁辺に直交する断面における重し搭載部１１０の範囲は、突出部１０３と立設部１０４との間の範囲によって規定される。したがって、重し２００は、突出部１０３、立設部１０４及び土台部１０２によって囲まれた領域に搭載される。
【００４１】
（第３実施形態）
次に、図６を用いて、第３実施形態に係る太陽電池モジュール組立構造について説明する。図６は、第３実施形態に係る太陽電池モジュール組立構造の断面図であり、具体的には図１の３Ａ−３Ａ線に相当する位置での断面図である。なお、以下では、第１実施形態と異なる構成について詳細に説明する。第１実施形態と同様の構成については、その説明を省略することに留意されたい。
【００４２】
第３実施形態では、重し搭載部３１０は、土台部１０２を構成する部材に直接又は間接的に着脱可能に構成されている。具体的一例では、土台部１０２、立設部１０４及びモジュール支持部１１２は、図６に示す断面において、一体的に略「エ」の字形の形状を有する。重し搭載部３１０は、重し２００を下から支える下部３１２と、下部３１２の両端部において上方に突出する第１突出部３１４及び第２突出部３１６を有する。
【００４３】
第１突出部３１４は、立設部１０４に対向し、ボルトのような締結部材３８０によって立設部１０４に締結される。これにより、重し搭載部３１０は、土台部１０２に対して直接又は間接的に着脱可能に構成されている。この場合、重し２００を設置する必要がある場所にのみ、重し搭載部３１０を設置することができる。
【００４４】
第２突出部３１６は、第２実施形態における突出部１０３と同様に重し２００の滑り落ちを防止する。第２突出部３１６は、必要に応じて設けられればよく、不要であれば設けられていなくてよい。
【００４５】
図６に示す態様では、重し搭載部３１０は、締結部材によって立設部１０４に直接取り付けられている。この代わりに、重し搭載部３１０は、別の部材を介して間接的に立設部１０４に取り付けられてもよい。また、重し搭載部３１０は、立設部１０４ではなく、土台部１０２又はモジュール支持部１１２に、直接又は間接的に着脱可能に取り付けられてもよい。
【００４６】
（第４実施形態）
次に、図７を用いて、第４実施形態に係る太陽電池モジュール組立構造について説明する。図７は、第４実施形態に係る太陽電池モジュール組立構造の断面図であり、具体的には図１の３Ａ−３Ａ線に相当する位置での断面図である。なお、以下では、第３実施形態と異なる構成について詳細に説明する。第３実施形態と同様の構成については、その説明を省略することに留意されたい。
【００４７】
第４実施形態では、接着材２２０によって接着される土台部４００は、重し搭載部３１０及びモジュール支持部１１２を構成する部材とは別部材によって構成されている。具体的には、土台部４００は、重し搭載部３１０及びモジュール支持部１１２を構成する部材を受け入れ可能な箱型の形状を有する。重し搭載部３１０及びモジュール支持部１１２を構成する部材は、土台部４００内に設けられている。言い換えると、前述した実施形態における支持部材１００が、追加の土台部４００及び接着材２２０を介して、間接的に設置面５００に固定されているとも言える。なお、重し搭載部３１０及びモジュール支持部１１２等の形状は、図示したものに限らず、前述した種々の形状を有していてよい。
【００４８】
（第５実施形態）
次に、図８及び図９を用いて、第５実施形態に係る太陽電池モジュール組立構造について説明する。図８は、第５実施形態に係る太陽電池モジュール組立構造の模式的斜視図である。図９は、図８の９Ａ−９Ａ線に沿った太陽電池モジュール組立構造の断面図である。なお、以下では、第１実施形態と異なる構成について詳細に説明する。第１実施形態と同様の構成については、その説明を省略することに留意されたい。
【００４９】
第５実施形態において、支持部材１００の形状は、第１実施形態と概ね同様である。ただし、第５実施形態では、支持部材１００の立設部１０４は、重し２００が通過可能な貫通穴１０５を有する。重し搭載部１１０は立設部１０４の貫通穴１０５を跨いで設けられる。すなわち、重し２００は、図９に示す断面において、立設部１０４を跨って立設部１０４の両側に位置する。これにより、重し２００は、土台部１０２により均一に荷重を与えることができるため、より安定的に支持部材１００を支えることができる。また、重し２００の荷重により、接着材２２０をより設置面５００にくっつき易くすることもできる。
【００５０】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【符号の説明】
【００５１】
１０    太陽電池モジュール
１００  支持部材
１０３  突出部
１１０，３１０  重し搭載部
１１２  モジュール支持部
２００  重し
２２０  接着材
５００  設置面
【図１】
2020076217.tif 000003
【図２】
2020076217.tif 000004
【図３】
2020076217.tif 000005
【図４】
2020076217.tif 000006
【図５】
2020076217.tif 000007
【図６】
2020076217.tif 000008
【図７】
2020076217.tif 000009
【図８】
2020076217.tif 000010
【図９】
2020076217.tif 000011